(57)【要約】【課題】リフト板等に破損を生じさせることなく給紙トレイを適正に閉じる。【解決手段】給紙ローラ９０により給送されるべき用紙を支持し用紙の前部を給紙ローラ９０に押圧するリフト板１１１を回動可能に支持する支持体１１２を有している給紙トレイ１００が画像形成装置の側面に対して開閉可能に構成され，リフト板１１１の回動中心軸１１４が，給紙トレイ１００の支持体１１２に設けられた長穴１１３ａによって支持されているとともに，支持体１１２とリフト板１１１の回動中心軸１１４との間に，回動中心軸１１４を長穴１１３ａにおける給紙ローラ側の端部に向けて付勢する付勢部材１０２が設けられている。【選択図】図２
2006062763.tif 000002
【特許請求の範囲】
【請求項１】
積層された用紙のうちの最上位の用紙と当接して当該最上位の用紙を給送する給紙ローラと，
この給紙ローラに当接して前記最上位の用紙と次位の用紙とを分離するリタードローラと，
前記給紙ローラにより給送されるべき用紙を支持しかつ用紙の前部を前記給紙ローラに押圧するリフト板と，このリフト板を回動可能に支持する支持体とを有している給紙トレイとを備え，
この給紙トレイが画像形成装置の側面に対して開閉可能に構成された画像形成装置であって，
前記リフト板の回動中心軸が，前記給紙トレイの支持体に設けられた長穴によって支持されているとともに，前記支持体と前記リフト板の回動中心軸との間に，当該回動中心軸を前記長穴における前記給紙ローラ側の端部に向けて付勢する付勢部材が設けられていることを特徴とする画像形成装置。
【請求項２】
前記側面には画像形成装置本体に対して開閉可能に設けられた側面カバーが設けられており，この側面カバーに対して前記給紙トレイが開閉可能に設けられ，かつ，前記給紙ローラおよびリタードローラが，閉じられた状態の前記側面カバーに近接して設けられていることを特徴とする請求項１記載の画像形成装置。
【請求項３】
閉じられた状態の前記側面カバーにおける側面と，閉じられた状態の前記給紙トレイにおける側面とが略同一面をなすことを特徴とする請求項２記載の画像形成装置。
【請求項４】
前記側面カバーにおける上部に，用紙の両面への画像形成を可能にするための両面ユニットが着脱可能に取り付けられるとともに，前記側面カバーにおける下部に前記給紙トレイが開閉可能に設けられていることを特徴とする請求項２または３記載の画像形成装置。
【発明の詳細な説明】
【技術分野】
【０００１】
本発明は，用紙（普通紙，厚紙，葉書，封筒，ＯＨＰシート，その他の記録材）に画像を形成するプリンタ，複写機，ファクシミリ等の画像形成装置に関する。特に，給紙トレイに積層された用紙を画像形成部に給送する給紙トレイに関するものである。
【背景技術】
【０００２】
従来，側面に対して給紙トレイが開閉可能に設けられた画像形成装置が知られている（例えば特許文献１参照）。
また，給紙ローラに当接するリタードローラによって最上位の用紙と次位の用紙とを分離する給紙装置も知られている（例えば特許文献２参照）。
【特許文献１】特開平４−４９１４９号公報
【特許文献２】特開２００４−１２３３５９号公報
【発明の開示】
【発明が解決しようとする課題】
【０００３】
リタードローラ付きの給紙装置において，その給紙トレイを画像形成装置側面（給紙ローラの軸線と平行な面）に対して開閉可能に構成しようとした場合，給紙トレイを閉じる過程において，そのリフト板の先端がリタードローラに当接することがある。
このため，給紙トレイを適正に閉じることができなかったり，あるいはリフト板等が破損してしまうことがあるという問題があった。
本発明の目的は，以上のような問題を解決し，リフト板等に破損を生じさせることなく給紙トレイを適正に閉じることができる画像形成装置を提供することにある。
【課題を解決するための手段】
【０００４】
上記目的を達成するために本発明の画像形成装置は，積層された用紙のうちの最上位の用紙と当接して当該最上位の用紙を給送する給紙ローラと，
この給紙ローラに当接して前記最上位の用紙と次位の用紙とを分離するリタードローラと，
前記給紙ローラにより給送されるべき用紙を支持しかつ用紙の前部を前記給紙ローラに押圧するリフト板と，このリフト板を回動可能に支持する支持体とを有している給紙トレイとを備え，
この給紙トレイが画像形成装置の側面に対して開閉可能に構成された画像形成装置であって，
前記リフト板の回動中心軸が，前記給紙トレイの支持体に設けられた長穴によって支持されているとともに，前記支持体と前記リフト板の回動中心軸との間に，当該回動中心軸を前記長穴における前記給紙ローラ側の端部に向けて付勢する付勢部材が設けられていることを特徴とする。
このような構成によれば，給紙トレイを画像形成装置側面に対して閉じる際に，その過程において，リフト板の先端がリタードローラに当接したとしても，リフト板の回動中心軸が前記付勢部材の付勢力に抗し，前記支持体の長穴に沿って移動することでリフト板が後退する。
したがって，リフト板等に破損を生じさせることなく給紙トレイを適正に閉じることが可能となる。
一方，給紙トレイを開くと，前記付勢部材の付勢力でリフト板の回動中心軸が前記長穴における前記給紙ローラ側の端部に向けて付勢されることによって，前記支持体に対する位置決めがなされる。
したがって，適正な給紙動作が確保される。
画像形成装置の側面に，画像形成装置本体に対して開閉可能な側面カバーが設けられている場合には，この側面カバーに対して前記給紙トレイを開閉可能に設ける。
これによって，画像形成装置の小型化を図ることができる。
この場合，望ましくは，閉じられた状態の前記側面カバーにおける側面と，閉じられた状態の前記給紙トレイにおける側面とで略同一面を形成する。
これによって，画像形成装置の小型化を図ることができると同時に，外観形状もすっきりさせることができる。
さらに，このような場合において，前記給紙ローラおよびリタードローラが，閉じられた状態の前記側面カバーに近接して設けられていると，給紙トレイが閉じられる際に，リフト板の先端がリタードローラに当接しやすくなるが，この発明によれば，上述したようにリフト板等に破損を生じさせることなく給紙トレイを適正に閉じることが可能となる。
逆に言えば，給紙ローラおよびリタードローラが，閉じられた状態の側面カバーに近接して設けられている場合であっても，給紙トレイを側面カバーに対して開閉可能に設けることができるようになり，また，閉じられた状態の側面カバーにおける側面と，閉じられた状態の給紙トレイにおける側面とで略同一面を形成することが可能となる。
また，望ましくは，前記側面カバーにおける上部に，用紙の両面への画像形成を可能にするための両面ユニットを着脱可能に取り付ける。
これによって，両面ユニットを取り付けた場合における画像形成装置の小型化を図ることができる。
この場合，側面カバーにおける下部に前記給紙トレイを開閉可能に設ける。
これによって，画像形成装置の小型化が可能となる。
【発明を実施するための最良の形態】
【０００５】
以下，本発明に係る画像形成装置の実施の形態について図面を参照して説明する。
図１は，本発明に係る画像形成装置の一実施の形態の構造を示す概略正面図である。
この画像形成装置は，Ａ４サイズの用紙（レターサイズ含む）を縦送りしてその両面にフルカラー画像を形成することのできるカラー画像形成装置であり，ケース１０と，このケース１０内に収容された，像担持体ユニット２０と，露光手段としての露光ユニット３０と，現像手段としての現像器（現像装置）４０と，中間転写体ユニット５０と，定着手段としての定着ユニット（定着器）６０とを備えている。
ケース１０には装置本体の図示しないフレームが設けられており，このフレームに各ユニット等が取り付けられている。
【０００６】
像担持体ユニット２０は，外周面に感光層を有する感光体２１と，この感光体２１の外周面を一様に帯電させる帯電手段としてのコロナ帯電器（スコロトロン帯電器）２２とを有しており，このコロナ帯電器２２により一様に帯電させられた感光体２１の外周面を露光ユニット３０からのレーザー光Ｌで選択的に露光して静電潜像を形成し，この静電潜像に現像器４０で現像剤であるトナーを付与して可視像（トナー像）とし，このトナー像を中間転写体ユニット５０の中間転写ベルト５１に一次転写部Ｔ１で一次転写し，さらに，二次転写部Ｔ２で，転写対象である用紙に二次転写させるようになっている。
【０００７】
ケース１０内には，上記二次転写部Ｔ２により片面に画像が形成された用紙をケース１０上面の用紙排出部（排紙トレイ部）１５に向けて搬送する搬送路１６と，この搬送路１６により用紙排出部１５に向けて搬送された用紙をスイッチバックさせて他面にも画像を形成すべく前記二次転写部Ｔ２に向けて返送する返送路１７とが設けられている。
７０は，画像形成装置に対して軸１０ｄで開閉可能に設けられた側面カバー１０ｃに対して着脱可能に構成された両面ユニットであり，この両面ユニット７０が装着されることによって前記返送路１７が形成される。
ケース１０の下部には，複数枚の用紙を積層保持する給紙カセット１８が２段設けられており，その用紙を一枚ずつ上記二次転写部Ｔ２に向けて給送する給紙ローラ１９がそれぞれ設けられている。
【０００８】
上記両面ユニット７０の下方には，本発明における主要部分である給紙装置８０をなすマルチパーパーストレイ１００が設けられており，このマルチパーパーストレイ１００にセットされた用紙を一枚ずつ給送する給紙ローラ９０が装置本体に設けられている。
この給紙装置８０等については，後に詳しく説明する。
【０００９】
現像器４０はロータリ現像器（ロータリ現像装置）であり，回転体本体４１に対して，それぞれトナーが収容された複数の現像器カートリッジ（図示せず）が着脱可能に装着されている。回転体本体４１が矢印Ｒ方向に９０度ピッチで回転することによって，各現像器カートリッジが備えている現像ローラ（図示せず）を感光体２１に選択的に当接させ，感光体２１の表面を選択的に現像することが可能となっている。
【００１０】
露光ユニット３０は，上記レーザー光Ｌを感光体２１に向けて照射する。
中間転写体ユニット５０は，図示しないユニットフレームと，このフレームで回転可能に支持された駆動ローラ５４と複数本の従動ローラに掛け回されて張架された前記中間転写ベルト５１とを備えており，中間転写ベルト５１が図示矢印方向に循環駆動される。感光体２１と中間転写ベルト５１との当接部において前記一次転写部Ｔ１が形成されており，駆動ローラと本体側に設けられた二次転写ローラ１０ｂとの圧接部において前記二次転写部Ｔ２が形成される。
二次転写ローラ１０ｂは，前記駆動ローラ５４に対して（したがって中間転写ベルト５１に対して）接離可能であり，接触した際に二次転写部Ｔ２が形成される。
したがって，カラー画像を形成する際には，二次転写ローラ１０ｂが中間転写ベルト５１から離間している状態で中間転写ベルト５１上において複数色のトナー像が重ね合わされてカラー画像が形成され，その後，二次転写ローラ１０ｂが中間転写ベルト５１に当接し，その当接部（二次転写部Ｔ２）に用紙が供給されることによって中間転写ベルト５１上から用紙上にカラー画像（トナー像）が転写（二次転写）されることとなる。
トナー像が転写された用紙は，定着ユニット６０を通ることでトナー像が溶融定着され，上記排紙トレイ部１５に向けて排出される。
【００１１】
画像形成部への用紙の給送は，上述した２段の給紙カセット１８，マルチパーパーストレイ１００のうちの１つから選択的になされる。
通常，給紙カセット１８には，普通紙等が定常的にセットされるが，マルチパーパーストレイ１００には，必要に応じて，種々の用紙がセットされる。すなわち，マルチパーパーストレイ１００には，ユーザーの必要に応じて，普通紙，厚紙，葉書，封筒，ＯＨＰシート，その他の記録材が適宜セットされる。
【００１２】
図２は図１の部分拡大図であり，給紙装置８０の正面図である。また，図３はその要部の平面図，図４は図２の部分拡大図（部分透視図）である。
これらの図（主として図２）に示すように，給紙装置８０は，積層された用紙Ｓのうちの最上位の用紙と当接して当該最上位の用紙を給送する給紙ローラ９０と，この給紙ローラ９０に当接して前記最上位の用紙と次位の用紙とを分離するリタードローラ１３０と，給紙ローラ９０により給送されるべき用紙Ｓを支持しかつ用紙Ｓの前部Ｓ１を給紙ローラ９０に押圧するリフト板１１１とこのリフト板１１１を回動可能に支持する支持体としてのトレイ本体１１２とを有している給紙トレイ（マルチパーパーストレイ）１００とを備えている。
このマルチパーパーストレイ１００は第１トレイ１１０と第２トレイ１２０とを有しており，後述するようにして画像形成装置の側面に対して開閉可能に構成されている。
【００１３】
１３０は，前記給紙ローラ９０に当接する，トルクリミッタ付きのリタードローラであり，このリタードローラ１３０によって前記最上位の用紙と次位の用紙とが分離される。
リタードローラ１３０は固定軸１３１にトルクリミッタ１３２（図３参照）を介して回転可能に取り付けられており，トルクリミッタ１３２に内装されているスプリングによって，常時矢印方向（給紙ローラ９０と同方向であり図２において時計方向）へ付勢されている。
したがって，給紙ローラ９０によって，最上位の用紙が送られようとするとき，これとともに次位以下の用紙が送られようとすると，トルクリミッタ１３２による負荷トルクでリタードローラ１３０の回転が阻害されて次位の用紙の給送が阻害され，最上位の用紙のみが給紙ローラ９０とリタードローラ１３０の間に挟圧されて上記トルクリミッタ１３２の上限トルクを上回ると，リタードローラ１３０が給紙ローラ９０に最上位の用紙を介して従動し，これによって最上位の用紙のみが給送されることとなる。
【００１４】
図１に示すように，マルチパーパーストレイ１００は，軸１０１によって，画像形成装置の本体ケース１０の側面カバー１０ｃに対して開閉可能に取り付けられている。側面カバー１０ｃは，軸１０ｄで画像形成装置本体に対して開閉可能に構成されている。図１は，側面カバー１０ｃが閉じられ，かつマルチパーパーストレイ１００が開かれて使用可能となっている状態を示している。
【００１５】
図２および図３に示すように，第１トレイ１１０は，略箱形のトレイ本体（支持体）１１２と，このトレイ本体１１２の両側板１１３に回動中心軸１１４で回動可能に取り付けられた上記リフト板１１１とを備えている。
リフト板１１１の回動中心軸１１４は，トレイ本体１１２の両側板１１３に設けられた長穴１１３ａ（図４参照）によって回動可能に支持されているとともに，トレイ本体１１２とリフト板１１１の回動中心軸１１４との間には，回動中心軸１１４を長穴１１３ａにおける前記給紙ローラ９０側の端部１１３ａ１（図４参照）に向けて付勢する付勢部材としての捩りバネ１０２が設けられている。
なお，図４に示すように，捩りバネ１０２は側板１１３の内面に設けられたピン１１３ｂに装着されており，その一端１０２ａがトレイ本体１１２に掛け止めされ，他端１０２ｂが回動中心軸１１４のボス部１１４ａに当接していることによって，回動中心軸１１４を給紙ローラ９０側に向けて付勢している。
長穴１１３ａの方向は，その長軸が，回動中心軸１１４の中心ととリタードローラ１３０の中心とを結んだ線に対して直交しない方向であれば任意である。
【００１６】
図１に示すように，画像形成装置本体にはリフト板１１１を押し上げる押上板９１が設けられている。押上板９１の基部は画像形成装置本体に取り付けられおり，押上板９１の先端は，リフト板１１１の下方に入り込んでいる。
押上板９１には，これを常時押上方向に付勢する図示しない付勢部材（例えば引っ張りバネ）が設けられており，マルチパーパーストレイ１００（したがって第１トレイ１１０）が図１に示すように開かれた際，押上板９１の先端はリフト板１１１を常時上方に付勢し，これによって用紙の先端部分が給紙ローラ９０に向けて押圧されるが，画像形成装置本体には，図示しないカム（給紙動作と連動して作動するカム）が設けられており，このカムによって押上板９１が押し下げられると，リフト板１１１による用紙の給紙ローラ９０に対する押圧が解除されるようになっている。
【００１７】
図３に示すように，リフト板１１１には，その幅方向（図３において上下方向）にスライド可能なサイドガイド１１５，１１６が取り付けられている。サイドガイドは給送される用紙の側縁を案内するためのものである。サイドガイド１１５，１１６には，その底部にラック１１７が一体的に設けられており，これらラック１１７同士がリフト板１１１に設けられた歯車１１８と噛み合っている。したがって，一方のサイドガイド１１５または１１６をスライドさせると他方のサイドガイドも同じくスライドし，用紙の中央が給紙ローラ９０の位置に一致するようになっている。
【００１８】
第２トレイ１２０は，第１トレイ１１０内に（リフト板１１１の下方に）収納可能であり，かつ引出可能に構成されている。
図２に示すように，第２トレイ１２０を第１トレイ１１０から引き出した際，第２トレイ１２０の先端下部両端に設けられている突起１２２が，第１トレイ１１０の側板１１３の内面に設けられているリブ１１９の先端と当接することで，すっぽ抜けが防止され，また，図３に示すように，第２トレイ１２０の両側部に設けられたリブ１２３が第１トレイ１１０に設けられた上記リブ１１９と当接することによって，その傾斜角度が規定されるようになっている。
【００１９】
図２および図３に示すように，第２トレイ１２０の後部には，補助トレイ１２４が軸１２５で回動可能に連結されている。補助トレイ１２４は軸１２５回りに１８０度回動可能である。図２および図３は補助トレイ１２４が開かれた状態を示しているが，補助トレイ１２４は，これを１８０度回動させて，第２トレイ１２０の上面凹部１２６（図３参照）に収納可能である。補助トレイ１２４は，リーガルサイズの用紙を支持する際に，開かれて用いられる。
【００２０】
図１に示すように，マルチパーパーストレイ１００の第１トレイ１１０と，側面カバー１０ｃとの間には，左右一対のリンク１０４（図３参照）が設けられている。
図２に示すように，リンク１０４には長穴１０５が設けられており，その上端は，側面カバー１０ｃの内面に設けられたピン１０ｅ（図１参照）に対して回動可能かつスライド可能に係合している。
一方，リンク１０４の下端には，軸１０６が設けられており，この軸１０６が，図３に示すようにトレイ本体１１２の側板１１３に設けられた穴１１３ｃに回動可能に係合している。
したがって，図１に実線で示すようにマルチパーパーストレイ１００が開かれた際，リンク１０４はマルチパーパーストレイ１００を支持して側面カバー１０ｃに対するマルチパーパーストレイ１００の位置決めを行う。
また，マルチパーパーストレイ１００は，上記補助トレイ１２４を第２トレイ１２０上に折り畳んで，第２トレイ１２０を第１トレイ１１０内に収納した状態で，図１に仮想線で示すように側面カバー１０ｃに向けて閉じることができ，マルチパーパーストレイ１００が閉じられると，リンク１０４は，仮想線で示すように側面カバー１０ｃ内に収納される。
【００２１】
図１に仮想線で示すようにマルチパーパーストレイ（給紙トレイ）１００が閉じられると，閉じられた状態の側面カバー１０ｃにおける側面（給紙ローラ９０の軸線と平行な面）と，閉じられた状態の給紙トレイ１００における側面とは略同一面をなす。
また，側面カバー１０ｃにおける上部に，両面ユニット７０が着脱可能に取り付けられている状態になっているとともに，側面カバー１０ｃにおける下部に給紙トレイ１００が開閉可能に設けられた状態となっている。
図１に示すように，給紙ローラ９０およびリタードローラ１３０は，閉じられた状態の側面カバー１０ｃに近接して設けられている。
【００２２】
以上のような画像形成装置によれば次のような作用効果が得られる。
この画像形成装置は，積層された用紙Ｓのうちの最上位の用紙と当接して当該最上位の用紙を給送する給紙ローラ９０と，この給紙ローラ９０に当接して前記最上位の用紙と次位の用紙とを分離するリタードローラ１３０と，給紙ローラ９０により給送されるべき用紙Ｓを支持しかつ用紙の前部Ｓ１を給紙ローラ９０に押圧するリフト板１１１と，このリフト板１１１を回動可能に支持する支持体１１２とを有している給紙トレイ１００とを備え，この給紙トレイ１００が画像形成装置の側面に対して開閉可能に構成されていて，リフト板１１１の回動中心軸１１４が，給紙トレイ１００の支持体１１２に設けられた長穴１１３ａによって支持されているとともに，支持体１１２とリフト板１１１の回動中心軸１１４との間に，当該回動中心軸１１４を前記長穴１１３ａにおける給紙ローラ９０側の端部１１３ａ１に向けて付勢する付勢部材１０２が設けられているので，給紙トレイ１００を画像形成装置側面に対して閉じる際に，その過程において，リフト板１１１の先端がリタードローラ１３０に当接したとしても，リフト板１１１の回動中心軸１１４が前記付勢部材１０２の付勢力に抗し，支持体１１２の長穴１１３ａに沿って移動することでリフト板１１１が後退する。
【００２３】
この実施の形態の場合，何らかの理由（例えば，リフト板１１１がリフトアップ位置（図２における符号１１１ｂ参照）にある時にユーザーが装置電源を切ってしまう等の理由）により，リフト板１１１がリフトアップ位置にある状態のままで給紙トレイ１００が閉じられると，その過程において，リフト板１１１の先端がリタードローラ１３０に当接することとなるが，この際，リフト板１１１の回動中心軸１１４が前記付勢部材１０２の付勢力に抗し，支持体１１２の長穴１１３ａに沿ってリタードローラ１３０から遠ざかる方向（図２，図４において右方）へ移動することでリフト板１１１が後退する。
したがって，リフト板１１１等に破損を生じさせることなく給紙トレイ１００を適正に閉じることが可能となる。
【００２４】
一方，給紙トレイ１００を開くと，付勢部材１０２の付勢力でリフト板１１１の回動中心軸１１４が図２，図４に示すように，前記長穴１１３ａにおける給紙ローラ側の端部１１３ａ１に向けて付勢されることによって，支持体１１２（したがって給紙ローラ９０）に対する位置決めがなされる。
したがって，適正な給紙動作が確保されることとなる。
なお，付勢部材１０２による上記付勢力は，リフト板１１１がリタードローラ１３０に当接したときにはリフト板１１１を後退させ，給紙トレイ１００が開かれたときには，リフト板１１１の回動中心軸１１４を長穴１１３ａにおける給紙ローラ側の端部１１３ａ１に押しつけて位置決めできる程度の付勢力にする。
【００２５】
この画像形成装置では，その側面に画像形成装置本体に対して開閉可能な側面カバー１０ｃが設けられていて，この側面カバー１０ｃに対して給紙トレイ１００が開閉可能に設けられているので，画像形成装置の小型化を図ることができる。
しかも，図１に仮想線で示すように，閉じられた状態の側面カバー１０ｃにおける側面と，閉じられた状態の給紙トレイ１００における側面とが略同一面を形成するので，画像形成装置の一層の小型化を図ることができると同時に，外観形状もすっきりさせることができる。
さらに，この画像形成装置のように，給紙ローラ９０およびリタードローラ１３０が，閉じられた状態の側面カバー１０ｃに近接して設けられていると，給紙トレイ１００が閉じられる際に，リフト板１１１の先端がリタードローラ１３０に当接しやすくなるが，この実施の形態によれば，上述したようにリフト板１１１等に破損を生じさせることなく給紙トレイ１００を適正に閉じることが可能となる。
逆に言えば，この実施の形態によると，給紙ローラ９０およびリタードローラ１３０が，閉じられた状態の側面カバー１０ｃに近接して設けられているにもかかわらず，給紙トレイ１００を側面カバー１０ｃに対して開閉可能に設けることができるようになり，また，閉じられた状態の側面カバー１０ｃにおける側面と，閉じられた状態の給紙トレイ１００における側面とで略同一面を形成することが可能になるということである。
【００２６】
また，この実施の形態によれば，給紙トレイ１００を上述したようにコンパクトにした状態で側面カバー１０ｃ内に閉じ，かつ，給紙トレイ１００を開いた際にこれを支持するリンク１０４を，側面カバー１０ｃの内面に設けられたピン１０ｅと，トレイ本体１１２における回動軸１０１とリフト板１１１の回動中心軸１１４との間の中間部位（この実施の形態では穴１１３ｃ）とを連結する構成とすることで，当該リンク１０４を短く構成し，このリンク１０４を側面カバー１０ｃ内に収納する構成とすることで，側面カバー１０ｃにおける上部に両面ユニット７０を着脱可能に取り付けるとともに，側面カバー１０ｃにおける下部に給紙トレイ１００を開閉可能に設けてあるので，両面ユニットを取り付けた場合における画像形成装置の小型化を図ることができる。
【００２７】
以上，本発明の実施の形態について説明したが，本発明は上記の実施の形態に限定されるものではなく，本発明の要旨の範囲内において適宜変形実施可能である。
【図面の簡単な説明】
【００２８】
【図１】本発明に係る給紙装置の一実施の形態を用いたカラー画像形成装置の一例の内部構造を示す概略正面図。
【図２】図１の部分拡大図。
【図３】図２の要部の平面図。
【図４】図２の部分省略部分透視拡大図。
【符号の説明】
【００２９】
Ｓ：用紙，Ｓ１：前部，１０ｃ：側面カバー，７０：両面ユニット，９０：給紙ローラ，１００：給紙トレイ，１０２：捩りバネ（付勢部材），１１０：第１トレイ，１１１：リフト板，１１２：トレイ本体（支持体），１１３ａ長穴，１１３ａ１：給紙ローラ側の端部，１１４：回動中心軸，１２０：第２トレイ，１３０：リタードローラ，１３２：トルクリミッタ。
【図１】
2006062763.tif 000003
【図２】
2006062763.tif 000004
【図３】
2006062763.tif 000005
【図４】
2006062763.tif 000006